(57)【要約】【課題】  電界強度の低いテレビジョン信号が電界強度の高いテレビジョン信号によって混変調妨害を受けないようにする。【解決手段】  電界強度に差のある第一の周波数帯の少なくとも二つのテレビジョン信号が個別に入力される第一の一対の入力端子１ａ、１ｂと、第一の一対の入力端子１ａ、１ｂの一方１ｂに入力された弱電界のテレビジョン信号を増幅する第一の増幅器９と、第一の増幅器９によって増幅された弱電界のテレビジョン信号と第一の一対の入力端子１ａ、１ｂの他方１ａに入力された強電界のテレビジョン信号とをミキシングして出力する第一のミクサ手段６とを備えた。【選択図】        図１
2005101851.tif 000002
【特許請求の範囲】
【請求項１】
電界強度に差のある第一の周波数帯の少なくとも二つのテレビジョン信号が個別に入力される第一の一対の入力端子と、前記第一の一対の入力端子の一方に入力された弱電界のテレビジョン信号を増幅する第一の増幅器と、前記第一の増幅器によって増幅された前記弱電界のテレビジョン信号と前記第一の一対の入力端子の他方に入力された強電界のテレビジョン信号とをミキシングして出力する第一のミクサ手段とを備えたことを特徴とするブースタ装置。
【請求項２】
前記第一のミクサ手段を第一の主線路と前記第一の主線路に結合された第一の副線路とを有する第一の方向性結合器によって構成し、前記第一の主線路の一端に前記第一の増幅器で増幅された前記弱電界のテレビジョン信号を入力すると共に、前記第一の主線路の他端に対向する前記第一の副線路の一端に前記強電界のテレビジョン信号を入力し、前記第一の副線路の他端を第一の終端抵抗によって終端し、前記第一の主線路の他端からミキシングされた前記第一の周波数帯の二つのテレビジョン信号を出力したことを特徴とする請求項１に記載のブースタ装置。
【請求項３】
前記第一の周波数帯とは受信周波数帯の異なる第二の周波数帯のテレビジョン信号と前記第一の方向性結合器から出力される前記第一の周波数帯の二つのテレビジョン信号とをミキシングする第二のミクサ手段を備え、前記第二のミクサ手段を分波器で構成したことを特徴とする請求項２に記載のブースタ装置。
【請求項４】
前記第二の周波数帯のテレビジョン信号は電界強度に差のある少なくとも二つのテレビジョン信号を含み、前記第二の周波数帯の二つのテレビジョン信号が個別に入力される第二の一対の入力端子と、前記第二の一対の入力端子の一方に入力された前記第二の周波数帯における弱電界のテレビジョン信号を増幅する第二の増幅器と、前記第二の増幅器によって増幅された前記第二の周波数帯における弱電界のテレビジョン信号と前記第二の一対の入力端子の他方に入力された前記第二の周波数帯における強電界のテレビジョン信号とをミキシングして出力する第三のミクサ手段とを備えたことを特徴とする請求項３に記載のブースタ装置。
【請求項５】
前記第三のミクサ手段を第二の主線路と前記第二の主線路に結合された第二の副線路とを有する第二の方向性結合器によって構成し、前記第二の主線路の一端に前記第二の増幅器で増幅された前記第二の周波数帯における弱電界のテレビジョン信号を入力すると共に、前記第二の主線路の他端に対向する前記第二の副線路の一端に前記第二の周波数帯における強電界のテレビジョン信号を入力し、前記第二の副線路の他端を第二の終端抵抗によって終端し、前記第二の主線路の他端からミキシングされた前記第二の周波数帯の二つのテレビジョン信号を出力したことを特徴とする請求項４に記載のブースタ装置。
【発明の詳細な説明】
【技術分野】
【０００１】
本発明はテレビの共聴システム等に使用されるブースタ装置に関する。
【背景技術】
【０００２】
従来のブースタ装置を図３い従って説明する。ＢＳアンテナ１０１で受信された衛星放送信号はＢＳコンバータ１０４によって第１ＩＦ帯域（１乃至２ＧＨｚ）に変換され、次のＢＳ−ＩＦ帯用増幅器１１３によって増幅されてＢＳ／Ｕ．Ｖ混合器１１２に入力される。また、ＵＨＦアンテナ１０２で受信されたＵＨＦ帯のテレビジョン信号と、ＶＨＦアンテナ１０３で受信されたＶＨＦ帯のテレビジョン信号はＵ／Ｖ混合器によって混合されたのち、ＢＳ／Ｕ．Ｖ混合器１１２に入力される。ＢＳ／Ｕ．Ｖ混合器１１２ではＢＳ−ＩＦ信号とＶＨＦ帯のテレビジョン信号及びＵＨＦ帯のテレビジョン信号とが混合され、ケーブル１１４を介して分配器１１１に入力される。分配器１１１には複数の加入者のテレビジョン受信機１０８が接続されるが、衛星放送信号はＢＳチューナ１０６を介してテレビジョン受信機１０８に入力され、ＶＨＦ帯又はＵＨＦ帯のテレビジョン信号分波器１０７を介して入力される（例えば、特許文献１参照。）。
【０００３】
【特許文献１】実用新案登録  第２５５２２３０号公報（図７）
【発明の開示】
【発明が解決しようとする課題】
【０００４】
上記の構成は、ＵＨＦアンテナ１０２で受信されるＵＨＦ帯のテレビジョン信号やＶＨＦアンテナ１０３で受信されるＶＨＦ帯のテレビジョン信号が十分な電界強度を有する場合には問題ないが、受信すべきチャンネルに対応して複数のＶＨＦアンテナやＵＨＦアンテナを設けた場合には電界強度の低いアンテナのレベルを補正するためにＵ／Ｖ混合器とＢＳ−Ｕ．Ｖ混合器との間に増幅器を介挿するようにしている。
【０００５】
すると、増幅器には電界強度の高いテレビジョン信号と電界強度度の低いテレビジョン信号とが入力されるので、一方のテレビジョン信号が他方のテレビジョン信号によって混変調妨害を受けるという問題が発生する。特に、電界強度の低いテレビジョン信号が電界強度の高いテレビジョン信号によって大きな混変調妨害を受ける。
【０００６】
本発明は、電界強度の低いテレビジョン信号が電界強度の高いテレビジョン信号によって混変調妨害を受けないようにすることを目的とする。  
【課題を解決するための手段】
【０００７】
上記課題に対して、本発明では、電界強度に差のある第一の周波数帯の少なくとも二つのテレビジョン信号が個別に入力される第一の一対の入力端子と、入力端子の一方に入力された弱電界のテレビジョン信号を増幅する第一の増幅器と、第一の増幅器によって増幅された弱電界のテレビジョン信号と入力端子の他方に入力された強電界のテレビジョン信号とをミキシングして出力する第一のミクサ手段とを備えた。
【０００８】
また、前記第一のミクサ手段を第一の主線路と前記第一の主線路に結合された第一の副線路とを有する第一の方向性結合器によって構成し、前記第一の主線路の一端に前記第一の増幅器で増幅された前記弱電界のテレビジョン信号を入力すると共に、前記第一の主線路の他端に対向する前記第一の副線路の一端に前記強電界のテレビジョン信号を入力し、前記第一の副線路の他端を第一の終端抵抗によって終端し、前記第一の主線路の他端からミキシングされた前記第一の周波数帯の二つのテレビジョン信号を出力した。
【０００９】
また、前記第一の周波数帯とは受信周波数帯の異なる第二の周波数帯のテレビジョン信号と前記第一の方向性結合器から出力される前記第一の周波数帯の二つのテレビジョン信号とをミキシングする第二のミクサ手段を備え、前記第二のミクサ手段を分波器で構成した。
【００１０】
また、前記第二の周波数帯のテレビジョン信号は電界強度に差のある少なくとも二つのテレビジョン信号を含み、前記第二の周波数帯の二つのテレビジョン信号が個別に入力される第二の一対の入力端子と、前記第二の一対の入力端子の一方に入力された前記第二の周波数帯における弱電界のテレビジョン信号を増幅する第二の増幅器と、前記第二の増幅器によって増幅された前記第二の周波数帯における弱電界のテレビジョン信号と前記第二の一対の入力端子の他方に入力された前記第二の周波数帯における強電界のテレビジョン信号とをミキシングして出力する第三のミクサ手段とを備えた。
【００１１】
また、前記第三のミクサ手段を第二の主線路と前記第二の主線路に結合された第二の副線路とを有する第二の方向性結合器によって構成し、前記第二の主線路の一端に前記第二の増幅器で増幅された前記第二の周波数帯における弱電界のテレビジョン信号を入力すると共に、前記第二の主線路の他端に対向する前記第二の副線路の一端に前記第二の周波数帯における強電界のテレビジョン信号を入力し、前記第二の副線路の他端を第二の終端抵抗によって終端し、前記第二の主線路の他端からミキシングされた前記第二の周波数帯の二つのテレビジョン信号を出力した。
【発明の効果】
【００１２】
以上のように、電界強度に差のある第一の周波数帯の少なくとも二つのテレビジョン信号が個別に入力される第一の一対の入力端子と、前記第一の一対の入力端子の一方に入力された弱電界のテレビジョン信号を増幅する第一の増幅器と、前記第一の増幅器によって増幅された前記弱電界のテレビジョン信号と前記第一の一対の入力端子の他方に入力された強電界のテレビジョン信号とをミキシングして出力する第一のミクサ手段とを備えたので、第一の増幅器は弱電界のテレビジョン信号のみを増幅するので、アンテナから第一のミクサ手段の出力端までの信号経路において第一の周波数帯の二つのテレビジョン信号は相互に混変調を起こすことはない。また、第一のミクサ手段の出力端における二つのテレビジョン信号のレベル差は第一の一対の入力端子におけるレベル差よりも小さくなるので、テレビジョン受信機での混変調妨害が軽減される。
【００１３】
また、第一のミクサ手段を第一の主線路と第一の主線路に結合された第一の副線路とを有する第一の方向性結合器によって構成し、第一の主線路の一端に第一の増幅器で増幅された弱電界のテレビジョン信号を入力すると共に、第一の主線路の他端に対向する第一の副線路の一端に強電界のテレビジョン信号を入力し、第一の副線路の他端を第一の終端抵抗によって終端し、第一の主線路の他端からミキシングされた第一の周波数帯の二つのテレビジョン信号を出力したので、出力される二つのテレビジョン信号のレベル差が一層小さくなって後段のテレビジョン受信機での混変調が軽減される。
【００１４】
また、第一の周波数帯とは受信周波数帯の異なる第二の周波数帯のテレビジョン信号と第一の方向性結合器から出力される第一の周波数帯の二つのテレビジョン信号とをミキシングする第二のミクサ手段を備え、第二のミクサ手段を分波器で構成したので、第一の周波数帯のテレビジョン信号と第二の周波数帯のテレビジョン信号とがミキシングされる以前に干渉することがない。
【００１５】
また、第二の周波数帯のテレビジョン信号は電界強度に差のある少なくとも二つのテレビジョン信号が個別に入力される第二の一対の入力端子と、第二の一対の入力端子の一方に入力された第二の周波数帯における弱電界のテレビジョン信号を増幅する第二の増幅器と、第二の増幅器によって増幅された第二の周波数帯における弱電界のテレビジョン信号と第二の一対の入力端子の他方に入力された第二の周波数帯における強電界のテレビジョン信号とをミキシングして出力する第三のミクサ手段とを備えたので、第二の周波数帯においても混変調が軽減される。
【００１６】
また、第三のミクサ手段を第二の主線路と前記第二の主線路に結合された第二の副線路とを有する第二の方向性結合器によって構成し、第二の主線路の一端に第二の増幅器で増幅された第二の周波数帯における弱電界のテレビジョン信号を入力すると共に、第二の主線路の他端に対向する第二の副線路の一端に第二の周波数帯における強電界のテレビジョン信号を入力し、第二の副線路の他端を第二の終端抵抗によって終端し、第二の主線路の他端からミキシングされた第二の周波数帯の二つのテレビジョン信号を出力したので、出力される二つのテレビジョン信号のレベル差が一層小さくなって後段のテレビジョン受信機での混変調が軽減される。
【発明を実施するための最良の形態】
【００１７】
図１に従って本発明のブースタ装置１を説明する。ブースタ装置１は第一の周波数帯（例えばＵＨＦ帯）のテレビジョン信号が入力されるを少なくとも二つの入力端子（第１の一対の入力端子）１ａ、１ｂと、第１の周波数帯とは受信周波数帯が異なる第二の周波数帯（例えばＶＨＦ帯）のテレビジョン信号が入力される二つの入力端子（第二の一対の入力端子）１ｃ、１ｄと、出力端子１ｅとを有する。
【００１８】
第一の一対の入力端子１ａ、１ｂにはそれぞれ第一の周波数帯のテレビジョン信号を受信するアンテナ（ＶＨＦアンテナ）２、３が個別に接続され、第二の一対の入力端子１ｃ、１ｄにはそれぞれ第二の周波数帯のテレビジョン信号を受信するアンテナ（ＶＨＦアンテナ）４、５が個別に接続される。アンテナ２、４は近距離局の強電界のテレビジョン信号を受信するためのものであり、アンテナ３、５は遠距離局の弱電界のテレビジョン信号を受信するためのものである。
【００１９】
ブースタ装置１内には２入力１出力の第一のミクサ手段６乃至第三のミクサ手段８と二つの増幅器９、１０とが設けられる。第１のミクサ手段６は第一の一対の入力端１ａ、１ｂにそれぞれ入力された第一の周波数帯の二つのテレビジョン信号をミキシングするためのものであり、方向性結合器によって構成される。そして、第一の入力端６ａ、第二の入力端６ｂ、出力端６ｃ及び終端抵抗接続端６ｄを有し、第二の入力端６ｂと出力端６ｃとの間にストリップラインで構成された第一の主線路ＭＬ１が接続され、第一の入力端６ａと終端抵抗接続端６ｄとの間に第一の副線路ＳＬ１が接続される。第一の副線路ＳＬ１もストリップラインで構成され、第一の主線路ＭＬ１と結合するように平行に配置される。第一の入力端６ａと出力端６ｃとが対向し、第二の入力端６ｂと終端抵抗接続端６ｄとが対向する。
【００２０】
そして、第一の一対の入力端子の一方１ａに入力された強電界のテレビジョン信号が第一の入力端６ａに直接入力され、第一の一対の入力端子の他方１ｂに入力された弱電界のテレビジョン信号が第一の増幅器９を介して第二の入力端６ｂに入力される。よって、第一の入力端６ａと第二の入力端６ｂにそれぞれ入力されるテレビジョン信号のレベル差は第一の一対の入力端子１ａ、１ｂにそれぞれ入力される二つのテレビジョン信号のレベル差よりも小さくなる。終端抵抗接続端６ｄには第一の終端抵抗１１が接続される。
【００２１】
第三のミクサ手段８は第二の一対の入力端子１ｃ、１ｄにそれぞれ入力された第二の周波数帯の二つのテレビジョン信号をミキシングするためのものであり、方向性結合器によって構成される。そして、第一の入力端８ａ、第二の入力端８ｂ、出力端８ｃ及び終端抵抗接続端８ｄを有し、第二の入力端８ｂと出力端８ｃとの間にストリップラインで構成された第二の主線路ＭＬ２が接続され、第一の入力端８ａと終端抵抗接続端８ｄとの間に第二の副線路ＳＬ２が接続される。第二の副線路ＳＬ２もストリップラインで構成され、第二の主線路ＭＬ２と結合するように平行に配置される。第一の入力端８ａと出力端８ｃとが対向し、第二の入力端８ｂと終端抵抗接続端８ｄとが対向する。
【００２２】
そして、第二の一対の入力端子の一方１ｃに入力された強電界のテレビジョン信号が第一の入力端８ａに直接入力され、第二の一対の入力端子の他方１ｄに入力された弱電界のテレビジョン信号が第二の増幅器１０を介して第二の入力端８ｂに入力される。よって、第一の入力端８ａと第二の入力端８ｂにそれぞれ入力されるテレビジョン信号のレベル差は第二の一対の入力端子１ｃ、１ｄにそれぞれ入力される二つのテレビジョン信号のレベル差よりも小さくなる。終端抵抗接続端８ｄには第二の終端抵抗１２が接続される。
【００２３】
第二のミクサ手段７は第一及び第二の入力端７ａ、７ｂと出力端７ｃとを有する分波器によって構成され、その内部には第一の入力端７ａと出力端７ｃとの間に接続されたハイパスフィルタ（容量素子Ｃ）と第二の入力端７ｂと出力端７ｃとの間に接続されたローパスフィルタ（インダクタンス素子Ｌ）とが設けられる。出力端７ｃはブースタ装置１の出力端子１ｅに接続される。
【００２４】
出力端子１ｅにはケーブルを介して二つの増幅器９、１０に電源を供給するためのブースタ用電源１３が接続される。
【００２５】
以上の構成において、第一のミクサ手段６に着目すると、第二の入力端６ｂには第一の周波数帯における弱電界のテレビジョン信号が第一の増幅器９によって増幅されて入力され、それが第一の主線路ＭＬ１を伝送して出力される。この時の挿入損失は僅かである。一方、第一の入力端６ａに入力された強電界のテレビジョン信号は第一の副線路ＳＬ１に結合（結合損失は１０〜１５ｂＢ）した第一の主線路ＭＬ１に伝送されて出力端６ｃに出力される。従って、出力端６ｃにおける二つのテレビジョン信号のレベル差は第一の一対の入力端子１ａ、１ｂにおけるレベル差よりも小さくなる。また、第一の増幅器９は弱電界のテレビジョン信号のみを増幅するので、アンテナ２、３から第一のミクサ手段６の出力端６ｃまでの信号経路において第一の周波数帯の二つのテレビジョン信号は相互に混変調を起こすことはない。さらに、ブースタ用電源部１３の後段に接続されるテレビジョン受信機での混変調妨害が軽減される。
【００２６】
また、第三のミクサ手段８においても、同様な動作によって出力端８ｃにおける第二の周波数帯の二つのテレビジョン信号のレベル差は第二の一対の入力端子１ｃ、１ｄにおけるレベル差よりも小さくなる。従って、アンテナ４、５から第三のミクサ手段８の出力端８ｃまでの信号経路において第二の周波数帯の二つのテレビジョン信号は相互に混変調を起こすことはない。さらに、ブースタ用電源部１３の後段に接続されるテレビジョン受信機での混変調妨害が軽減される。
【００２７】
また、第二のミクサ手段７は分波器によって構成されているので、第一のミクサ手段と第三のミクサ手段８とが高周波的に絶縁されて相互に干渉することはない。
【図面の簡単な説明】
【００２８】
【図１】本発明のブースタ装置の構成を示す回路図である。
【図２】従来のブースタ装置の構成を説明する回路図である。
【符号の説明】
【００２９】
１：ブースタ装置
１ａ、１ｂ：第一の一対の入力端子
１ｃ、１ｄ：第二の一対の入力端子
１ｅ：出力端子
２、３、４、５：アンテナ
６：第一のミクサ手段
６ａ：第一の入力端
６ｂ：第二の入力端
６ｃ：出力端
６ｄ：終端抵抗接続端
７：第二のミクサ手段
７ａ：第一の入力端
７ｂ：第二の入力端
７ｃ：出力端
８：第三のミクサ手段
８ａ：第一の入力端
８ｂ：第二の入力端
８ｃ：出力端
８ｄ：終端抵抗接続端
９：第一の増幅器
１０：第二の増幅器
１１：第一の終端抵抗
１２：第二の終端抵抗
１３：ブースタ用電源部
ＭＬ１：第一の主線路
ＳＬ１：第一の副線路
ＭＬ２：第二の主線路
ＳＬ２：第二の副線路
【図１】
2005101851.tif 000003
【図２】
2005101851.tif 000004